(57)【要約】【課題】中央装置及び複数の端末装置間で伝送するデータの伝送データフォーマットを自動的に切り替える。【解決手段】端末装置において、レピータ１１を介して受信された伝送データを、伝送部１２のデバイス１２ｂが受け、伝送データフォーマットを選択するフォーマット選択情報を該受信した伝送データから検出する。次に、制御部１２ｃが、フォーマット選択情報が検出されたか否かをデバイス１２ｂに対しチェックし、該フォーマット選択情報が検出された場合、端末装置のデバイス１２ｂに対して、リコンフィグレーション実行指示を伝送路１２ｄを介して送信する。そして、デバイス１２ｂは、受信した伝送データに含まれるフォーマット選択情報に応じ記憶部１２ａからロードしたコンフィグレーションプログラムと伝送データフォーマットデータに従って、リコンフィグレーションを行う。【選択図】図１
2009105625.tif 000002
【特許請求の範囲】
【請求項１】
リング型ネットワークに接続されたレピータと、
リコンフィグレーションを行うリコンフィグレーション機能を有するプログラマブルロジックデバイス，制御部を具備し、該プログラマブルロジックデバイスと該制御部を伝送路で接続した伝送部と、
を具備し、該レピータを使ってデータ通信を行う通信部
を備える中央装置と
該通信部を備える複数の端末装置と
を有し、
該中央装置と該端末装置で該リング型ネットワークを介してデータ通信を各々行う保護継電装置であって、
前記端末装置の通信部の伝送部が、
特定の伝送データフォーマットに応じた伝送データを処理するためのコンフィグレーションプログラムと伝送データフォーマットデータの組合せを複数格納するコンフィグレーション記憶部、
を備え、
前記端末装置の通信部の伝送部の制御部が、
伝送データフォーマットを選択するフォーマット選択情報が検出されたか否かを前記プログラマブルロジックデバイスに対しチェックし、該フォーマット選択情報が検出された場合、該端末装置のプログラマブルロジックデバイスに対して、リコンフィグレーションの実行を指示するリコンフィグレーション実行指示を前記伝送路を介して送信する手段と、
を備え、
前記端末装置の通信部の伝送部のプログラマブルロジックデバイスが、
前記中央装置から送信され、該端末装置の通信部のレピータを介して受信した伝送データを受け、フォーマット選択情報を該受信した伝送データから検出する手段と、
前記リコンフィグレーション実行指示を受けた前記端末装置の通信部の伝送部のプログラマブルロジックデバイスが、受信した伝送データに含まれるフォーマット選択情報に応じて、コンフィグレーションプログラムと伝送データフォーマットデータを該端末装置の通信部の伝送部のコンフィグレーション記憶部からロードし、そのロードしたコンフィグレーションプログラムと伝送データフォーマットデータに従って、予め備えられたリコンフィグレーション機能を使って、リコンフィグレーションを行う手段と、
を備える
ことを特徴とする保護継電装置。
【請求項２】
リング型ネットワークに接続されたレピータと、
特定の伝送データフォーマットに応じた伝送データを処理するためのコンフィグレーションプログラムと伝送データフォーマットデータの組合せを複数格納するコンフィグレーション記憶部，リコンフィグレーションを行うリコンフィグレーション機能を有するプログラマブルロジックデバイス，制御部を具備し、該プログラマブルロジックデバイスと該制御部を伝送路で接続した伝送部と、
を具備し該レピータを使ってデータ通信を行う通信部
を備える中央装置と
該通信部を備える複数の端末装置と
を有し、
該中央装置と該端末装置で該リング型ネットワークを介してデータ通信を各々行う保護継電装置に使用する
伝送データフォーマット切替方法であって、
前記中央装置から送信され、前記端末装置の通信部のレピータを介して受信した伝送データを、前記端末装置の伝送部のプログラマブルロジックデバイスが受け、伝送データフォーマットを選択するフォーマット選択情報を該受信した伝送データから検出するステップと、
前記端末装置の通信部の伝送部の制御部が、フォーマット選択情報が検出されたか否かを前記プログラマブルロジックデバイスに対しチェックし、該フォーマット選択情報が検出された場合、端末装置のプログラマブルロジックデバイスに対して、リコンフィグレーションの実行を指示するリコンフィグレーション実行指示を前記伝送路を介して送信するステップと、
前記リコンフィグレーション実行指示を受けた前記端末装置の通信部の伝送部のプログラマブルロジックデバイスが、受信した伝送データに含まれるフォーマット選択情報に応じて、コンフィグレーションプログラムと伝送データフォーマットデータを該端末装置の通信部の伝送部のコンフィグレーション記憶部からロードし、そのロードしたコンフィグレーションプログラムと伝送データフォーマットデータに従って、予め備えられたリコンフィグレーション機能を使って、リコンフィグレーションを行うステップと、
を有することを特徴とする伝送データフォーマット切替方法。
【発明の詳細な説明】
【技術分野】
【０００１】
本発明は、保護継電装置におけるデータ伝送処理技術に関するものである。
【背景技術】
【０００２】
保護継電装置（あるいは、保護継電システム）には、ループリレーとして中央装置（Ｍａｓｔｅｒ  Ｓｔａｔｉｏｎ）と複数の端末装置（Ｒｅｍｏｔｅ  Ｓｔａｔｉｏｎ）で構成されるものが知られている。また、保護継電装置では、専用の伝送データフォーマット（例えば、特許文献１参照）にて、伝送を実施し、機能を実現しているものがある。
【０００３】
図３に基づいて、上述の保護継電装置を説明する。図３中の保護継電装置は、中央装置ＭＳと端末装置ＲＳ１〜ＲＳ３を有し、中央装置ＭＳと端末装置ＲＳ１〜ＲＳ３がループ状の通信回線（あるいはリング状の通信回線；例えば、ポーリング方式のリング型ネットワークなど）１００で接続されており、その通信回線１００を介して専用のデータフォーマットに基づくデータ通信を各々行う。
【０００４】
また、上述の専用の伝送データフォーマットに基づく伝送データは、中央装置及び端末装置に備えられたハードウェアロジック回路で構成されたり、プログラマブルロジックデバイスの一種であるＦＰＧＡ（Ｆｉｅｌｄ  Ｐｒｏｇｒａｍｍａｂｌｅ  Ｇａｔｅ  Ａｒｒａｙ：フィールドプログラマブルゲートアレイ）で構成されることが多い。
【特許文献１】特開平８−２２３７８１号公報（段落［０００９］〜［００１３］，［００２２］）
【発明の開示】
【発明が解決しようとする課題】
【０００５】
上述の保護継電装置において、専用の伝送データフォーマットを変更する場合には、中央装置及び複数の端末装置を全て停止して同時に変更する必要がある。これは、ループ状に接続されているため、中央装置及び複数の端末装置のうちいずれか一つでも、異なる伝送データフォーマットの伝送データを受信した場合、処理を続行できないためである。
【０００６】
また、担当者が単独で、同時に全ての装置を停止することは困難であるし、同時に全ての端末での変更作業を実施することも困難である。
【０００７】
しかし、技術の進歩に伴い、例えば、旧い保護継電装置から新しい保護継電装置への移行のために、新しい有効な伝送データフォーマットを利用することがあるとしても、上述のような困難性があるため、なかなか実現しない。
【０００８】
本発明は、前記課題に基づいてなされたものであって、リング型ネットワークで接続された中央装置及び複数の端末装置間で伝送するデータの伝送データフォーマットを自動的に切り替える保護継電装置及び伝送データフォーマット切替方法を提供することにある。
【課題を解決するための手段】
【０００９】
前記課題の解決を図るために、請求項１記載の発明は、リング型ネットワークに接続されたレピータと、リコンフィグレーションを行うリコンフィグレーション機能を有するプログラマブルロジックデバイス，制御部を具備し、該プログラマブルロジックデバイスと該制御部を伝送路で接続した伝送部と、を具備し、該レピータを使ってデータ通信を行う通信部を備える中央装置と該通信部を備える複数の端末装置とを有し、該中央装置と該端末装置で該リング型ネットワークを介してデータ通信を各々行う保護継電装置であって、前記端末装置の通信部の伝送部が、特定の伝送データフォーマットに応じた伝送データを処理するためのコンフィグレーションプログラムと伝送データフォーマットデータの組合せを複数格納するコンフィグレーション記憶部、を備え、前記端末装置の通信部の伝送部の制御部が、伝送データフォーマットを選択するフォーマット選択情報が検出されたか否かを前記プログラマブルロジックデバイスに対しチェックし、該フォーマット選択情報が検出された場合、該端末装置のプログラマブルロジックデバイスに対して、リコンフィグレーションの実行を指示するリコンフィグレーション実行指示を前記伝送路を介して送信する手段と、を備え、前記端末装置の通信部の伝送部のプログラマブルロジックデバイスが、前記中央装置から送信され、該端末装置の通信部のレピータを介して受信した伝送データを受け、フォーマット選択情報を該受信した伝送データから検出する手段と、前記リコンフィグレーション実行指示を受けた前記端末装置の通信部の伝送部のプログラマブルロジックデバイスが、受信した伝送データに含まれるフォーマット選択情報に応じて、コンフィグレーションプログラムと伝送データフォーマットデータを該端末装置の通信部の伝送部のコンフィグレーション記憶部からロードし、そのロードしたコンフィグレーションプログラムと伝送データフォーマットデータに従って、予め備えられたリコンフィグレーション機能を使って、リコンフィグレーションを行う手段と、を備えることを特徴とする。
【００１０】
請求項２記載の発明は、リング型ネットワークに接続されたレピータと、特定の伝送データフォーマットに応じた伝送データを処理するためのコンフィグレーションプログラムと伝送データフォーマットデータの組合せを複数格納するコンフィグレーション記憶部，リコンフィグレーションを行うリコンフィグレーション機能を有するプログラマブルロジックデバイス，制御部を具備し、該プログラマブルロジックデバイスと該制御部を伝送路で接続した伝送部と、を具備し該レピータを使ってデータ通信を行う通信部を備える中央装置と該通信部を備える複数の端末装置とを有し、該中央装置と該端末装置で該リング型ネットワークを介してデータ通信を各々行う保護継電装置に使用する伝送データフォーマット切替方法であって、前記中央装置から送信され、前記端末装置の通信部のレピータを介して受信した伝送データを、前記端末装置の伝送部のプログラマブルロジックデバイスが受け、伝送データフォーマットを選択するフォーマット選択情報を該受信した伝送データから検出するステップと、前記端末装置の通信部の伝送部の制御部が、フォーマット選択情報が検出されたか否かを前記プログラマブルロジックデバイスに対しチェックし、該フォーマット選択情報が検出された場合、端末装置のプログラマブルロジックデバイスに対して、リコンフィグレーションの実行を指示するリコンフィグレーション実行指示を前記伝送路を介して送信するステップと、前記リコンフィグレーション実行指示を受けた前記端末装置の通信部の伝送部のプログラマブルロジックデバイスが、受信した伝送データに含まれるフォーマット選択情報に応じて、コンフィグレーションプログラムと伝送データフォーマットデータを該端末装置の通信部の伝送部のコンフィグレーション記憶部からロードし、そのロードしたコンフィグレーションプログラムと伝送データフォーマットデータに従って、予め備えられたリコンフィグレーション機能を使って、リコンフィグレーションを行うステップと、を有することを特徴とする。
【００１１】
前記請求項１，２の発明によれば、各端末装置で伝送データフォーマットを自動的に切り替えることができる。
【発明の効果】
【００１２】
以上示したように請求項１，２の発明によれば、各端末装置で伝送データフォーマットが自動的に切り替わるため、中央装置及び端末装置を全て停止して同時に変更する必要がない。また、単独の担当者でも、伝送データフォーマットを切り替えることができる。
【００１３】
これらを以って保護継電装置に関する保守技術分野に貢献できる。
【発明を実施するための最良の形態】
【００１４】
本実施形態における保護継電装置の構成の一例を図４に基づいて説明する。
【００１５】
図４中の保護継電装置は、図３と同様に、中央装置ＭＳと端末装置ＲＳ１〜ＲＳ３が、ループ状の通信回線（例えば、リング型ネットワークの光通信回線）１００で接続されており、その通信回線１００を介して通信を行う。さらに、中央装置ＭＳと端末装置ＲＳ１〜ＲＳ３は、同一仕様の通信部Ｓａ，リレー部Ｓｂを備える。
【００１６】
伝送データフォーマットに関連する機能部は、データ通信を行う通信部Ｓａにあたるため、通信部Ｓａの構成を図１に基づいて詳しく説明する。
【００１７】
図１中の通信部Ｓａは、通信回線１００と接続された光レピータ（あるいは、光リピータという）１１，該光レピータを使って通信を行う伝送部（例えば、伝送プリント板）１２を備える。光レピータ１１と後述するＦＰＧＡ  １２ｂが伝送線で接続されている
なお、本実施形態では、光通信回線を用いているが、一般的な電気通信回線を用いても良い。その電気通信回線を用いた場合は、一般的なレピータを用いることになる。
【００１８】
伝送部１２は、特定の伝送データフォーマットに応じた伝送データを処理するための（あるいは、特定の伝送データフォーマットに応じた）コンフィグレーションプログラムと伝送データフォーマットを記述した（あるいは、表現した）データ（以下、伝送データフォーマットデータという）の組合せを複数格納するコンフィグレーション記憶部（例えば、フラッシュメモリなどの書き換え可能な不揮発性記憶装置などでも良いし、コンフィグレーションプログラムを複数格納できれば何でも良い）１２ａ，そのコンフィグレーション記憶部１２ａにアクセスしリコンフィグレーションを行うリコンフィグレーション機能と、伝送機能と、を有するＦＰＧＡ  １２ｂ，制御部であるＣＰＵ（Ｃｅｎｔｒａｌ  Ｐｒｏｃｅｓｓｉｎｇ  Ｕｎｉｔ）  １２ｃを備える。
【００１９】
なお、伝送部１２は、一時的な情報（例えば、伝送データ）を記憶する記憶部（例えば、揮発性メモリ）を備えていても良い。ＦＰＧＡ  １２ｂとコンフィグレーション記憶部１２ａは、伝送線で接続されている。ＦＰＧＡ  １２ｂとＣＰＵ  １２ｃ間は、アドレスデータバス（伝送路）１２ｄを介してデータ伝送を行う。また、ＦＰＧＡ  １２ｂとＣＰＵ  １２ｃ間は、機能ピン１２ｅでも接続されている。この機能ピン１２ｅは、予め作成されたコンフィグレーションプログラムと伝送データフォーマットデータをＦＰＧＡ  １２ｂを介してコンフィグレーション記憶部に（書き込む、あるいは、ロードする）ためのものである。
【００２０】
この伝送データフォーマットデータは、コンフィグレーションプログラムに対応するデータであって、例えば、伝送データフォーマットのデータ要素を示すタグとそのデータ要素の値の組み合わせを１以上有するデータである。図１中では、コンフィグレーションプログラムＰａとコンフィグレーションプログラムＰｂが存在するが、それぞれに対応する伝送データフォーマットデータＦａと伝送データフォーマットデータＦｂも存在する（もしくは、予めロードされている）と考えてよい。
【００２１】
また、コンフィグレーション記憶部１２ａには、旧式の伝送データフォーマット（以下、旧伝送データフォーマットという）を示す伝送データフォーマットデータＦａを処理するコンフィグレーションプログラムＰａ，新式の伝送データフォーマット（以下、新伝送データフォーマットという）を示す伝送データフォーマットデータＦｂを処理するコンフィグレーションプログラムＰｂが予め格納されているものとする。
【００２２】
旧伝送データフォーマットと新伝送データフォーマットには、共通のコントロール情報を含む形式となっており、例えば、図２のような伝送フレームの構成を有する伝送データフォーマットである。
【００２３】
図２中の伝送フレームＦは、同期フレームＦ１，コントロール情報Ｆ２を有する。また、同期フレームＦ１とコントロール情報Ｆ２などの情報は、区切りビットによって区切られる。図２中では、区切りビットの値として「０」を用いている。
【００２４】
破線部分αは、伝送フレームＦにおけるコントロール情報Ｆ２付近を詳細化したものであって、区切りビットＦ２１とコントロール情報Ｆ２’（即ち、コントロール情報Ｆ２と同じもの）を示したものである。図２中では、コントロール情報Ｆ２’は、８ビットで構成される。
【００２５】
コントロール情報Ｆ２’には、伝送データフォーマットを選択する情報（即ち、伝送データフォーマット選択情報）Ｆ２２が含まれている。図２中では、５番目のビット（ビット５）に伝送データフォーマット選択情報Ｆ２２が割り当てられており、伝送データフォーマット選択情報Ｆ２２が「０」に設定された場合は伝送フレームＦが旧伝送データフォーマットを選択すること、「１」に設定された場合は伝送フレームＦが新伝送データフォーマットを選択すること、を示す。
【００２６】
本実施形態における伝送データフォーマット切替方法を図１及び図２に基づいて説明する。なお、以下の説明では、旧伝送データフォーマットを使用した通信を予め行っているものとする。即ち、通信部Ｓａは、コンフィグレーションプログラムＰａと伝送データフォーマットＦａに基づいて動作しているものとする。
【００２７】
まず、端末装置（例えば、端末装置ＲＳ１）の通信部Ｓａ（以下、通信部Ｓａは略して記述する）の伝送部１２のＦＰＧＡ  １２ｂが、中央装置ＭＳから送信され光レピータ１１を介して受信した伝送データからフォーマット選択情報Ｆ２２を検出する。なお、伝送データは、図２の伝送フレームＦで構成されるものとする。
【００２８】
次に、端末装置ＲＳ１の伝送部１２のＣＰＵ  １２ｃが、フォーマット選択情報Ｆ２２が検出されたか否かをＦＰＧＡ  １２ｂに対しチェック（例えば、特定の時間間隔毎にチェック）する。フォーマット選択情報Ｆ２２（例えば、「１」に設定されたフォーマット選択情報Ｆ２２）が検出された場合、端末装置ＲＳ１の伝送部１２のＣＰＵ  １２ｃが、端末装置ＲＳ１のＦＰＧＡ  １２ｂに対して、リコンフィグレーションの実行を指示する（即ち、リコンフィグレーション実行指示を前記アドレスデータバス１２ｄを介して送信する）。
【００２９】
そして、リコンフィグレーション実行指示を受けたＦＰＧＡ  １２ｂは、受信した伝送データに含まれるフォーマット選択情報Ｆ２２に応じて、コンフィグレーションプログラム（例えば、コンフィグレーションプログラムＰｂ）とデータ伝送フォーマットデータ（例えば、データ伝送フォーマットデータＦｂ）を端末装置ＲＳ１のコンフィグレーション記憶部１２ａからロードし、そのロードしたコンフィグレーションプログラムと伝送データフォーマットデータに従って、予め備えられたリコンフィグレーション機能を使って、リコンフィグレーションを行う。
【００３０】
例えば、そのリコンフィグレーションとは、ロードしたコンフィグレーションプログラム（例えば、コンフィグレーションプログラムＰｂ）とデータ伝送フォーマットデータ（例えば、データ伝送フォーマットデータＦｂ）に従って、特定の伝送データフォーマット（例えば、新伝送データフォーマット）を扱えるようにＦＰＧＡ  １２ｂを初期設定する、などの処理である。
【００３１】
最終的に、図１中の通信部Ｓａを備える中央装置ＭＳと端末装置ＲＳ１〜ＲＳ３のリコンフィグレーションプログラムが、フォーマット選択情報Ｆ２２に基づいて切り替えられる。即ち、本実施形態における保護継電装置の扱う伝送データフォーマットを切り替えることができる。
【００３２】
なお、本実施形態において、上述の伝送データフォーマット切替方法における各手順を、保護継電装置の通信部における各手段として（例えば、保護継電装置の通信部における手段をコンピュータプログラムとして）実装しても良い。
【００３３】
以上のように、旧伝送データフォーマットに対応した中央装置と端末装置から新伝送データフォーマットに対応した中央装置と端末装置への移行であっても、本実施形態における通信部を共通に備えていれば、各装置を、同日同時に移行しなくても良い。
【００３４】
また、新伝送データフォーマットに対応した各装置への移行は、各装置個別で行えるため、担当者は少数でよい。
【００３５】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００３６】
例えば、本実施形態では、扱う伝送データフォーマットを２つ（旧伝送データフォーマットと新伝送データフォーマット）としているため、伝送データフォーマット選択情報を１ビットで表しているが、伝送データフォーマットが３つ以上の場合は、その伝送データフォーマット数を表現できるビット数を伝送データフォーマット選択情報に割り当てても良い。また、３つ以上の伝送データフォーマットを扱う場合、それらに応じた３つのコンフィグレーションプログラムと伝送データフォーマットデータをコンフィグレーション記憶部に格納し、伝送データフォーマット選択情報に応じて、選択しロードしても良い。
【図面の簡単な説明】
【００３７】
【図１】本実施形態の保護継電装置における通信部の構成図。
【図２】本実施形態の伝送フレームの構成図。
【図３】一般的な保護継電装置の構成図。
【図４】光通信回線を用いた保護継電装置の構成の一例を示す図。
【符号の説明】
【００３８】
１１…光レピータ
１２…伝送部
１２ａ…コンフィグレーション記憶部
１２ｂ…ＦＰＧＡ
１２ｃ…ＣＰＵ
１２ｄ…アドレスデータバス
１２ｅ…機能ピン
１００…通信回線
Ｆ…伝送フレーム
Ｆ１…同期フレーム
Ｆ２，Ｆ２’…コントロール情報
Ｆ２１…区切りビット
Ｆ２２…伝送データフォーマット選択情報
Ｐａ，Ｐｂ…コンフィグレーションプログラム
Ｆａ，Ｆｂ…伝送データフォーマットデータ
ＭＳ…中央装置
ＲＳ１〜ＲＳ３…端末装置
Ｓａ…通信部
Ｓｂ…リレー部
α…伝送フレームにおけるコントロール情報付近
【図１】
2009105625.tif 000003
【図２】
2009105625.tif 000004
【図３】
2009105625.tif 000005
【図４】
2009105625.tif 000006